(57)【要約】【課題】開閉扉と遊技球を受け止めて転動させる球転動突部との間に遊技球が挟まることを防止可能な遊技機の提供を目的とする。【解決手段】本発明のパチンコ遊技機１０は、開閉扉５０のうち両側面と開放姿勢で下方を向く閉塞外面５１Ｂと間の各角部に球排除傾斜面１７１，１７１をそれぞれ備えている。球排除傾斜面１７１，１７１は、開閉扉５０が開放姿勢のときに開閉扉５０の横方向において閉塞外面５１Ｂから斜め横上方に向かいかつ、開閉扉５０の前後方向において開閉扉５０の回動中心から斜め前側上方に向かうように傾斜している。開閉扉５０が閉塞姿勢から遊技領域Ｒ１の前方に倒れるタイミングで、ガイドレール１２上に遊技球が２個重なっていた場合、球排除傾斜面１７１が上側の遊技球と接触し、その遊技球が遊技領域Ｒ１の前方及び開閉扉５０の側方に押し除けられる。【選択図】図１４
2011177284.tif 000002
【特許請求の範囲】
【請求項１】
遊技球が流下する遊技領域に遊技球が入球可能な大入賞口が形成されると共に、その大入賞口の下縁部を中心に回動可能に軸支された開閉扉が、通常は回動中心から起立した閉塞姿勢になって前記大入賞口を閉塞し、その閉塞姿勢から前方に倒れて前方に張り出した開放姿勢になると、前記開閉扉が遊技球を前記大入賞口内へと案内する遊技機において、
前記遊技領域のうち前記大入賞口の下方には、遊技球を受け止めて転動させることが可能な球転動突部が設けられると共に、前記球転動突部上で遊技球が上下に積み重なった場合に、その積み重なった遊技球と前記閉塞姿勢から前記開放姿勢へと回動する途中の前記開閉扉の側端部とが干渉可能な位置に前記球転動突部が配置され、
前記開閉扉のうち前記大入賞口を正面から見て横方向の側面と前記開放姿勢で下方を向く閉塞外面との間の角部に球排除傾斜面を設け、前記球排除傾斜面は、前記開閉扉が前記開放姿勢のときに前記開閉扉の横方向において前記閉塞外面から斜め横上方に向かいかつ、前記開閉扉の前後方向において前記開閉扉の回動中心から斜め前側上方に向かうように傾斜していることを特徴とする遊技機。
【請求項２】
前記開閉扉が前記開放姿勢のときの前記開閉扉の横方向における前記球排除傾斜面の傾斜角が、前記開閉扉の回動中心から離れるに従って徐々に水平に近づくように変化していることを特徴とする請求項１に記載の遊技機。
【請求項３】
前記球排除傾斜面が、前記開閉扉の回動半径方向で前記開閉扉の回動中心寄り位置からその回動中心から離れた先端寄り位置の範囲に亘って形成されることで、前記開閉扉における横方向の側面と前記閉塞外面との間の角部に、前記球排除傾斜面を溝底面とした球排除溝部が形成されたことを特徴とする請求項１又は２に記載の遊技機。
【請求項４】
前記球排除溝部のうち前記開閉扉の回動中心から離れた先端側の溝内側面は、略三角形になって、前記開閉扉が前記開放姿勢のときに前記開閉扉の横方向において前記閉塞外面から斜め横上方に向うように傾斜していることを特徴とする請求項３に記載の遊技機。
【請求項５】
前記球排除傾斜面は、前記開閉扉の横方向において遊技球の直径の１／３以上かつ１／２未満の幅となるように構成されたことを特徴とする請求項１乃至４の何れか１の請求項に記載の遊技機。
【請求項６】
前記開閉扉の横方向の両端部から下方に１対のヒンジアームが突出形成されて、それらヒンジアームを横方向に貫通するように回動中心が配置され、
前記１対のヒンジアームのうち前記開閉扉が前記閉塞姿勢になったときに前方を向いた面から１対の開放位置決ストッパ突部が突出形成されて、前記開閉扉が前記開放姿勢になったときにそれら１対の開放位置決ストッパ突部が前記大入賞口の下側開口縁に当接するように構成されると共に、前記遊技領域の前面のうち前記大入賞口の両横の開口縁には、前記開閉扉が前記閉塞姿勢のときに前記開放位置決ストッパ突部より前方に突出して、前記開閉扉が前記閉塞姿勢のときに遊技球が前記開放位置決ストッパ突部に接触することを規制する１対の接触規制突部が形成されたことを特徴とする請求項１乃至５の何れか１の請求項に記載の遊技機。
【請求項７】
前記開閉扉のうち前記球排除傾斜面が形成された横方向の端部から前記開閉扉の回動中心に向かって軸部が突出すると共に、前記開閉扉が前記閉塞姿勢になったときに、前記軸部の一部が前記球排除傾斜面に対して相対的に前方に突出し、
前記大入賞口の横方向で対をなした横開口縁から前方に突出して、前記開閉扉が閉塞姿勢のときに、前記開閉扉の前側を流下する遊技球と前記軸部の一部とが当接することを防止する当接規制突部を設けたことを特徴とする請求項１乃至５の何れか１の請求項に記載の遊技機。
【請求項８】
前記遊技領域の前面のうち前記大入賞口の周囲に敷設されかつ前記大入賞口に対応した矩形孔を有する装飾カバーが備えられ、前記１対の接触規制突部が前記装飾カバーに一体形成されると共に前記開閉扉が開放姿勢になったときに前記大入賞口の下側開口縁としての前記矩形孔の下側内側面に前記１対の開放位置決ストッパ突部が当接するように構成されたことを特徴とする請求項６に記載の遊技機。
【請求項９】
前記開閉扉に形成されて、前記大入賞口の奥側で回動する内部ストッパと、
前記大入賞口の奥側に設けられ、前記開閉扉が開放姿勢になったときに前記内部ストッパが当接する内部ストッパ当接部とが備えられたことを特徴とする請求項１乃至８の何れか１の請求項に記載の遊技機。
【請求項１０】
前記大入賞口の上方には、前記遊技領域の前面から突出すると共に上面が開放して遊技球を受け入れ可能な上方入賞部が備えられ、
前記大入賞口内の下面には、前記上方入賞部の下面に向けて光を投光可能な入賞口内発光手段が備えられ、
前記上方入賞部の下面には、前記入賞口内発光手段からの光を前記開閉扉に向けて反射する反射部材が備えられたことを特徴とする請求項１乃至９の何れか１の請求項に記載の遊技機。
【請求項１１】
前記閉塞姿勢のときに前記開閉扉の回動中心から離れた先端部が前記大入賞口の上側開口縁に当接すると共に、
前記大入賞口の上側開口縁には前記開閉扉の先端部を収納可能な横長凹部が形成されたことを特徴とする請求項１乃至１０の何れか１の請求項に記載の遊技機。
【発明の詳細な説明】
【技術分野】
【０００１】
本発明は、遊技機に関する。
【背景技術】
【０００２】
従来より、遊技レールで囲まれた略円形の遊技領域の下端部に、横長矩形の大入賞口と、その大入賞口の下縁部を中心に回動可能に軸支された開閉扉とを備えた遊技機が知られている。この遊技機は、常には、開閉扉が大入賞口を閉塞する一方、大当たり状態になると、開閉扉が前方に倒れて前方に張り出した開放姿勢となり、開閉扉が大入賞口へと遊技球を案内するようになっている（例えば、特許文献１を参照）。
【先行技術文献】
【特許文献】
【０００３】
【特許文献１】特開平１１−２０６９７１号公報（段落［００１０］、第４図）
【発明の概要】
【発明が解決しようとする課題】
【０００４】
ところで、一般的に遊技領域には表示装置が備えられているが、近年、その表示装置が大型化しており、大入賞口は遊技レールに近い位置に配置せざるを得ない状況となっている。
【０００５】
ところが、大入賞口を遊技レールに接近させて配置すると、開放姿勢における開閉扉の横方向の両側端部と遊技レールとの上下方向における間隔が狭まるため、開閉扉が閉塞姿勢から開放姿勢に向かって回動する途中で、開閉扉の側端部と遊技レールとの間で遊技球が挟まり、開閉扉が半開き状態で停止する虞があった。
【０００６】
本発明は、上記事情に鑑みてなされたもので、開閉扉と遊技球を受け止めて転動させる球転動突部との間に遊技球が挟まることを防止可能な遊技機の提供を目的とする。
【課題を解決するための手段】
【０００７】
上記目的を達成するためになされた請求項１の発明に係る遊技機は、遊技球が流下する遊技領域に遊技球が入球可能な大入賞口が形成されると共に、その大入賞口の下縁部を中心に回動可能に軸支された開閉扉が、通常は回動中心から起立した閉塞姿勢になって大入賞口を閉塞し、その閉塞姿勢から前方に倒れて前方に張り出した開放姿勢になると、開閉扉が遊技球を大入賞口内へと案内する遊技機において、遊技領域のうち大入賞口の下方には、遊技球を受け止めて転動させることが可能な球転動突部が設けられると共に、球転動突部上で遊技球が上下に積み重なった場合に、その積み重なった遊技球と閉塞姿勢から開放姿勢へと回動する途中の開閉扉の側端部とが干渉可能な位置に球転動突部が配置され、開閉扉のうち大入賞口を正面から見て横方向の側面と開放姿勢で下方を向く閉塞外面との間の角部に球排除傾斜面を設け、球排除傾斜面は、開閉扉が開放姿勢のときに開閉扉の横方向において閉塞外面から斜め横上方に向かいかつ、開閉扉の前後方向において開閉扉の回動中心から斜め前側上方に向かうように傾斜しているところに特徴を有する。
【０００８】
請求項２の発明は、請求項１に記載の遊技機において、開閉扉が開放姿勢のときの開閉扉の横方向における球排除傾斜面の傾斜角が、開閉扉の回動中心から離れるに従って徐々に水平に近づくように変化しているところに特徴を有する。
【０００９】
請求項３の発明は、請求項１又は２に記載の遊技機において、球排除傾斜面が、開閉扉の回動半径方向で開閉扉の回動中心寄り位置からその回動中心から離れた先端寄り位置の範囲に亘って形成されることで、開閉扉における横方向の側面と閉塞外面との間の角部に、球排除傾斜面を溝底面とした球排除溝部が形成されたところに特徴を有する。
【００１０】
請求項４の発明は、請求項３に記載の遊技機において、球排除溝部のうち開閉扉の回動中心から離れた先端側の溝内側面は、略三角形になって、開閉扉が開放姿勢のときに開閉扉の横方向において閉塞外面から斜め横上方に向うように傾斜しているところに特徴を有する。
【００１１】
請求項５の発明は、請求項１乃至４の何れか１の請求項に記載の遊技機において、球排除傾斜面は、開閉扉の横方向において遊技球の直径の１／３以上かつ１／２未満の幅となるように構成されたところに特徴を有する。
【００１２】
請求項６の発明は、請求項１乃至５の何れか１の請求項に記載の遊技機において、開閉扉の横方向の両端部から下方に１対のヒンジアームが突出形成されて、それらヒンジアームを横方向に貫通するように回動中心が配置され、１対のヒンジアームのうち開閉扉が閉塞姿勢になったときに前方を向いた面から１対の開放位置決ストッパ突部が突出形成されて、開閉扉が開放姿勢になったときにそれら１対の開放位置決ストッパ突部が大入賞口の下側開口縁に当接するように構成されると共に、遊技領域の前面のうち大入賞口の両横の開口縁には、開閉扉が閉塞姿勢のときに開放位置決ストッパ突部より前方に突出して、開閉扉が閉塞姿勢のときに遊技球が開放位置決ストッパ突部に接触することを規制する１対の接触規制突部が形成されたところに特徴を有する。
【００１３】
請求項７の発明は、請求項１乃至５の何れか１の請求項に記載の遊技機において、開閉扉のうち球排除傾斜面が形成された横方向の端部から開閉扉の回動中心に向かって軸部が突出すると共に、開閉扉が閉塞姿勢になったときに、軸部の一部が球排除傾斜面に対して相対的に前方に突出し、大入賞口の横方向で対をなした横開口縁から前方に突出して、開閉扉が閉塞姿勢のときに、開閉扉の前側を流下する遊技球と軸部の一部とが当接することを防止する当接規制突部を設けたところに特徴を有する。
【００１４】
請求項８の発明は、請求項６に記載の遊技機において、遊技領域の前面のうち大入賞口の周囲に敷設されかつ大入賞口に対応した矩形孔を有する装飾カバーが備えられ、１対の接触規制突部が装飾カバーに一体形成されると共に開閉扉が開放姿勢になったときに大入賞口の下側開口縁としての矩形孔の下側内側面に１対の開放位置決ストッパ突部が当接するように構成されたところに特徴を有する。
【００１５】
請求項９の発明は、請求項１乃至８の何れか１の請求項に記載の遊技機において、開閉扉に形成されて、大入賞口の奥側で回動する内部ストッパと、大入賞口の奥側に設けられ、開閉扉が開放姿勢になったときに内部ストッパが当接する内部ストッパ当接部とが備えられたところに特徴を有する。
【００１６】
請求項１０の発明は、請求項１乃至９の何れか１の請求項に記載の遊技機において、大入賞口の上方には、遊技領域の前面から突出すると共に上面が開放して遊技球を受け入れ可能な上方入賞部が備えられ、大入賞口内の下面には、上方入賞部の下面に向けて光を投光可能な入賞口内発光手段が備えられ、上方入賞部の下面には、入賞口内発光手段からの光を開閉扉に向けて反射する反射部材が備えられたところに特徴を有する。
【００１７】
請求項１１の発明は、請求項１乃至１０の何れか１の請求項に記載の遊技機において、閉塞姿勢のときに開閉扉の回動中心から離れた先端部が大入賞口の上側開口縁に当接すると共に、大入賞口の上側開口縁には開閉扉の先端部を収納可能な横長凹部が形成されたところに特徴を有する。
【発明の効果】
【００１８】
［請求項１及び５の発明］
請求項１の発明によれば、開閉扉の横方向の側面と閉塞外面と間の角部に球排除傾斜面が設けられており、その球排除傾斜面は、異なる２方向に傾斜している。即ち、開閉扉が開放姿勢のときに開閉扉の横方向において閉塞外面から斜め横上方に向かいかつ、開閉扉の前後方向において開閉扉の回動中心から斜め前側上方に向かうように傾斜している。これにより、開閉扉が閉塞姿勢から開放姿勢に変化するタイミングで球転動突部上に遊技球が積み重なっていた場合、球排除傾斜面が上側の遊技球と接触し、その遊技球が遊技領域の前方かつ開閉扉の側方に押し除けられる。このようにして、開閉扉と球転動突部との間に遊技球が挟まることを防止可能となり、開閉扉を開放姿勢になるまで前方に倒すことが可能になる。ここで、球排除傾斜面は、開閉扉の横方向において遊技球の直径の１／３以上かつ１／２未満の幅となるように構成することが好ましい（請求項５の発明）
【００１９】
［請求項２の発明］
請求項２の発明によれば、遊技球を受け止めても破損することのない肉厚を開閉扉の回動中心から離れた先端部に確保することができる。
【００２０】
［請求項３の発明］
請求項３の発明によれば、遊技球を受け止めても破損することのない肉厚を開閉扉の回動中心から離れた先端側に確保することができる。
【００２１】
［請求項４の発明］
請求項４の発明によれば、球排除溝部のうち開閉扉の回動中心から離れた先端側の溝内側面によって遊技球を開閉扉の側方に押し除けることができる。
【００２２】
［請求項６の発明］
請求項６の発明によれば、開閉扉が受け止めた遊技球の衝撃や重さによって開閉扉が開放姿勢を越えて回動することを防止することができる。また、１対の接触規制突部を設けたことで、開閉扉が閉塞姿勢のときに、開放位置決ストッパ突部に遊技球が接触した弾みで開閉扉が開くという誤作動を防止することができる。
【００２３】
［請求項７の発明］
請求項７の発明によれば、球排除傾斜面を形成したことで、開閉扉が閉塞姿勢になったときに軸部の一部が球排除傾斜面に対して相対的に前方に突出することになるが、当接規制突部を設けたことで、開閉扉が閉塞姿勢のときに、軸部の一部に遊技球が当接した弾みで開閉扉が開くという誤作動を防止することができる。
【００２４】
［請求項８の発明］
請求項８の発明によれば、開閉扉が閉塞姿勢から前方に倒れたとき、１対の開放位置決ストッパ突部が、大入賞口の下側開口縁としての矩形孔の下側内側面に当接することで開閉扉を開放姿勢に維持することができる。
【００２５】
［請求項９の発明］
請求項９の発明によれば、開閉扉が受け止めた遊技球の衝撃や重さによって開閉扉が開放姿勢を越えて回動することを防止することができる。
【００２６】
［請求項１０の発明］
請求項１０の発明によれば、開閉扉が開放姿勢になるとその開閉扉に上方から光が照射されるので、大入賞口が開放したことを遊技者から分かり易くすることができる。
【００２７】
［請求項１１の発明］
請求項１１の発明によれば、開閉扉が閉塞姿勢のとき、開閉扉の回動中心から離れた先端部が大入賞口の上側開口縁に形成された横長凹部に収納されるので、遊技機の外部から挿入した針金その他ツールを開閉扉の先端部に引っ掛けて大入賞口を開放させるという不正行為を防止することができる。
【図面の簡単な説明】
【００２８】
【図１】本発明の一実施形態に係るパチンコ遊技機の斜視図
【図２】遊技盤の正面図
【図３】上始動入賞部、下始動入賞部、大入賞部を斜め上方から見た斜視図
【図４】上始動入賞部、開放した下始動入賞部、開放した大入賞部を斜め上方から見た斜視図
【図５】装飾カバーから大入賞装置を取り外した状態の分解斜視図
【図６】装飾カバーから大入賞装置を取り外した状態の分解斜視図
【図７】大入賞装置の内部の斜視図
【図８】大入賞装置の内部の斜視図
【図９】大入賞装置を構成する部品の斜視図
【図１０】扉作動装置と開閉扉の斜視図
【図１１】内部ストッパにて開放姿勢に位置決めされた開閉扉の側面図
【図１２】扉作動装置と閉塞姿勢における開閉扉の側面図
【図１３】扉作動装置と開放姿勢における開閉扉の側面図
【図１４】（Ａ）開放姿勢における開閉扉の側面図、（Ｂ）Ｊ−Ｊ線矢視図
【図１５】図１４（Ａ）におけるＫ−Ｋ線矢視図
【図１６】図１４（Ａ）におけるＬ−Ｌ線矢視図
【図１７】図１４（Ａ）におけるＭ−Ｍ線矢視図
【図１８】遊技球と開閉扉とが接触した状態の斜視図
【図１９】開閉扉の球排除傾斜面が遊技球を押し除ける過程を示す側面図
【図２０】開閉扉の球排除傾斜面が遊技球を押し除ける過程を示す正面図
【発明を実施するための形態】
【００２９】
以下、本発明を適用したパチンコ遊技機１０に係る一実施形態を、図１〜図２０に基づいて説明する。図１に示すように、パチンコ遊技機１０の遊技盤１１のうち、遊技者と対向する前面には、ガイドレール１２（本発明の「球転動突部」に相当する）で囲まれた略円形の遊技領域Ｒ１が設けられ、その遊技領域Ｒ１がパチンコ遊技機１０の正面からガラス板９５Ｗを通して視認可能となっている。
【００３０】
図２に示すように、遊技領域Ｒ１のほぼ中央部には、表示装置１３が設けられ、表示装置１３の下方には、上始動入賞部１４Ａ、下始動入賞部１４Ｂ、大入賞部１５及びアウト口１６が、上から順に間隔を開けて並べて設けられている。遊技領域Ｒ１のうち、表示装置１３の左側方には始動ゲート１８と風車１７とが備えられ、始動入賞部１４Ａ，１４Ｂの左右両側には、一般入賞部２０がガイドレール１２に沿って設けられている。さらに、これら以外に、遊技領域Ｒ１には図示しない複数の釘が起立している。
【００３１】
図１に示すように、パチンコ遊技機１０の前面のうち、ガラス板９５Ｗの上部及び両側部には装飾ランプ９７が設けられており、上端両角部にはスピーカ９８，９８が設けられている。これら装飾ランプ９７及び各スピーカ９８は、パチンコ遊技機１０の前面側に膨出している。
【００３２】
ガラス板９５Ｗの下方には、上皿２６及び下皿２７が上下２段にして設けられている。これら上皿２６及び下皿２７は、パチンコ遊技機１０の前方に膨出している。パチンコ遊技機１０の前面における右下角部には、操作ノブ２８が備えられている。この操作ノブ２８を操作すると、上皿２６に貯留された遊技球が、順次、遊技領域Ｒ１に向けて弾き出される。その遊技球が遊技領域Ｒ１を流下する途中で上記した上下の始動入賞部１４Ａ，１４Ｂ、大入賞部１５又は一般入賞部２０に入球すると、賞球として所定数の遊技球が上皿２６に払い出される。なお、上皿２６が満杯の場合は下皿２７に払い出される。
【００３３】
上皿２６に備えた球移動ボタン（図示せず）を押すと、上皿２６から下皿２７に遊技球が移動する。また、上皿２６には、球移動ボタンの他に、遊技に使用するための遊技ボタン３０，３０が備えられている。
【００３４】
以下、遊技領域Ｒ１に備えた表示装置１３等について詳説する。表示装置１３は、液晶モジュール（詳細には、ＴＦＴ−ＬＣＤモジュール）で構成され、遊技盤１１の中央部に貫通形成された表示取付孔（図示せず）に対し、遊技盤１１の後面側から取り付けられている。また表示取付孔には、遊技盤１１の前面側から枠形構造の装飾枠２３が取り付けられ、その装飾枠２３によって表示装置１３の周囲が囲まれている。図２に示すように、遊技領域Ｒ１の左端寄り部分及び下端寄り部分を除く広い範囲が、これら装飾枠２３と表示装置１３とで占有されている。
【００３５】
アウト口１６は、遊技領域Ｒ１の最下端部に配置されて前方に開放している。アウト口１６は上縁部がアーチ状をなした横長形状になっており、遊技領域Ｒ１に備えられた各入賞部１４Ａ，１４Ｂ，１５，２０の何れにも入賞しなかった遊技球は、アウト口１６から遊技盤１１の裏側に回収される。
【００３６】
一般入賞部２０は、遊技領域Ｒ１の前方に突出しかつ上面が常時開放したポケット構造をなしている。一般入賞部２０に入賞すると、予め定められた所定数（例えば、１個の入賞につき４個）の遊技球（賞球）が上皿２６に払い出される。
【００３７】
始動ゲート１８は遊技球が潜って通過可能な門形構造をなし、内蔵したゲートスイッチ（図示せず）によって遊技球の通過が検出される。この検出信号に基づいて、普通図柄表示部３８の普通図柄が変動表示される。
【００３８】
普通図柄表示部３８は、表示装置１３の右下方に装飾枠２３と一体に設けられている。普通図柄表示部３８は、普通図柄としての２桁の数字を表示可能な７セグメントＬＥＤ表示器で構成されている。
【００３９】
始動ゲート１８を遊技球が通過すると、普通図柄表示部３８は普通図柄を所定期間に亘って変動表示した後、停止表示する。例えば、停止表示された普通図柄が同じ（ゾロ目）の場合には、後述する下始動入賞部１４Ｂが開放状態になって、遊技球が入賞可能になる。また、普通図柄表示部３８が変動表示している間に始動ゲート１８を通過した遊技球は、所定数（例えば、４つ）まで累積カウントされる。この累積カウント数（保留数）は、図示しない保留数用のＬＥＤの点灯数によって遊技者に報知される。
【００４０】
上始動入賞部１４Ａは、遊技領域Ｒ１の下端寄り部分に配置されている。図３に示すように、上始動入賞部１４Ａは、前方に突出したポケット構造をなし、常時上方に開放している。上始動入賞部１４Ａの上面開口は、遊技球を１つずつ受け入れ可能な大きさになっている。
【００４１】
下始動入賞部１４Ｂは、所謂、「普通電動役物（電動チューリップ）」であって、上始動入賞部１４Ａの真下に近接配置されている。図３に示すように、下始動入賞部１４Ｂも前方に突出しかつ上方に開放したポケット構造をなしており、遊技球を１つずつ受け入れ可能になっている。下始動入賞部１４Ｂの上面開口の左右両側には可動翼片１４Ｃ，１４Ｃが備えられている。また、下始動入賞部１４Ｂの下面には平らな鏡面体である反射部材１４Ｄ（図１２参照）が備えられている。
【００４２】
両可動翼片１４Ｃ，１４Ｃは常には起立状態（図３に示す状態）になっており、このとき、下始動入賞部１４Ｂへの遊技球の入賞は禁止される。これに対し、普通図柄表示部３８にて普通図柄がゾロ目で停止表示すると、下始動入賞部１４Ｂが開放状態となる。即ち、図４に示すように、下始動入賞部１４Ｂに備えた可動翼片１４Ｃ，１４Ｃが所定期間（例えば、０．５秒間）に亘って左右に倒される。可動翼片１４Ｃ，１４Ｃが左右に倒れると、下始動入賞部１４Ｂが開放状態となり、その倒れた可動翼１４Ｃ，１４Ｃに案内されて遊技球が下始動入賞部１４Ｂに入賞可能となる。
【００４３】
上下の始動入賞部１４Ａ，１４Ｂの何れかに遊技球が入賞すると、各始動入賞部１４Ａ，１４Ｂ内に設けた遊技球センサ（図示せず）がその遊技球を検出し、その検出信号に基づいて、予め定められた所定数（例えば、１個の入賞につき５個）の遊技球（賞球）が上皿２６に払い出される。また、各始動入賞部１４Ａ，１４Ｂに遊技球が入賞すると、「大当たり遊技」を行うか否かを決定する当否判定の権利が発生し、その当否判定結果が表示装置１３にて遊技者に報知される。
【００４４】
表示装置１３には、通常、３つの左、中、右の特別図柄（図示せず）が横並びに表示されている。これら各特別図柄は、例えば、「０」〜「９」の数字を表記した複数種類のもので構成されており、通常は、各特別図柄ごと、所定の種類のものが停止表示されている。そして、両始動入賞部１４Ａ，１４Ｂの何れかに遊技球が入賞したときに、これら３つの特別図柄が、変動表示（上下方向にスクロール表示）され、所定時間後に、各特別図柄が１つずつ順番に停止表示される。このとき、例えば、全ての特別図柄が同じ図柄（ゾロ目）になった場合に、遊技が「通常遊技」から後述する「大当たり遊技」に移行する。
【００４５】
表示装置１３にて特別図柄が変動表示している最中又は「大当たり遊技」の最中に各始動入賞部１４Ａ，１４Ｂに入賞した遊技球の数は、所定の限度数まで累積カウント（保留）され、特別図柄が外れの図柄組み合わせで停止表示されるか、「大当たり遊技」が終了すると、その保留記憶に基づいて再び、特別図柄の変動表示が開始される。なお、累積カウント数（保留数）は、図示しない保留数用のＬＥＤの点灯数によって遊技者に報知される。
【００４６】
大入賞部１５は、下始動入賞部１４Ｂとアウト口１６との中間位置に配置されている。大入賞部１５は、遊技領域Ｒ１の前方に開放しかつ左右方向に延びた横長矩形の大入賞口１５Ａ（図４参照）を有している。大入賞口１５Ａはアウト口１６より横長であり、その大入賞口１５Ａが常には、図３に示すように開閉扉５０にて閉塞されている。そして、上記したように特別図柄がゾロ目で停止表示した場合（大当たり遊技時）に、図４に示すように、開閉扉５０が所定期間に亘って前方に倒れた開放姿勢となって大入賞口１５Ａが前方に開放する。すると、遊技領域Ｒ１の前方に張り出した開放姿勢の開閉扉５０が遊技領域Ｒ１を流下する遊技球を受け止めて、その遊技球を大入賞口１５Ａに案内する。大入賞口１５Ａに遊技球が入賞すると予め定められた所定数（例えば、１個の入賞につき１５個）の遊技球（賞球）が上皿２６に払い出される。なお、下始動入賞部１４Ｂは、本発明の「上方入賞部」に相当する。
【００４７】
大入賞口１５Ａへの入球数は遊技球センサ１５３（図７参照）によりカウントされており、入球数が１０個に達したか又は、開閉扉５０の開放時間が３０秒に達したかの何れかの条件が先に満たされた場合に、開閉扉５０が開放姿勢から図３に示す閉塞姿勢となって大入賞口１５Ａが閉じられる。
【００４８】
ところで、上述した上始動入賞部１４Ａ、下始動入賞部１４Ｂ、大入賞部１５は、図３に示すように共通の装飾カバー１０１に固定されてユニット化されている。装飾カバー１０１は、所定のデザイン形状の樹脂板で構成されており、複数の螺子（図示せず）によって遊技盤１１の前面に敷設されている（図２参照）。
【００４９】
装飾カバー１０１のうち、上下の始動入賞部１４Ａ，１４Ｂが設けられた面とは反対の裏面側には、上下の始動入賞部１４Ａ，１４Ｂで共有された始動入賞装置１０２と、大入賞部１５の主要部である大入賞装置１５０とが取り付けられている。始動入賞装置１０２は、上下の始動入賞部１４Ａ，１４Ｂに入賞した遊技球を検出する遊技球センサ（図示せず）、入賞した遊技球を回収するための球通路１０２Ａ、下始動入賞部１４Ｂの可動翼片１４Ｃ，１４Ｃを開閉動作させる為のソレノイド１０２Ｂ等から構成されている。
【００５０】
図５に示すように、装飾カバー１０１のうち下始動入賞部１４Ｂの下方には、左右方向に延びた横長の矩形孔１０３が貫通形成されている。その矩形孔１０３から大入賞装置１５０が前方に臨んでいる。
【００５１】
大入賞装置１５０は、上下方向に扁平な透明ケース体１５６に、開閉扉５０、開閉扉５０を開閉させる為の扉作動装置１５９、大入賞口１５Ａに入賞した遊技球を検出するための遊技球センサ１５３及び複数の回路基板１６１，１６１等を組み付けてなる（図７及び図９参照）。
【００５２】
図６に示すように、大入賞装置１５０のうち矩形孔１０３に臨んだ前端部には、矩形孔１０３に向かって開放した球受容空間１５１が備えられている。球受容空間１５１は、左右方向に延びかつ遊技球の直径とほぼ等しい奥行きを有している。そして、矩形孔１０３の開口縁と、球受容空間１５１を矩形孔１０３に向けて開放した横長開口部１５４の開口縁とが前後方向で合体して大入賞口１５Ａが構成され、大入賞口１５Ａを通過した遊技球が球受容空間１５１に取り込まれるようになっている。
【００５３】
球受容空間１５１のうち大入賞口１５Ａと対向した奥壁１５２には、球受容空間１５１に受け入れた遊技球を遊技盤１１の裏側に取り込む為の貫通孔１５２Ａが形成され、その貫通孔１５２Ａに遊技球センサ１５３が配置されている。貫通孔１５２Ａ及び遊技球センサ１５３は、奥壁１５２の左右方向における一端部（例えば、正面視右端部）に設けられている。ここで、球受容空間１５１の底面は、貫通孔１５２Ａに向かって下るように傾斜している。即ち、球受容空間１５１の底面は、左端から右端に向かって下ると共に、右端部分で奥側に向かって下っている。これにより、球受容空間１５１内に遊技球が滞留することが防止されている。
【００５４】
大入賞装置１５０のうち、球受容空間１５１の下方に配置された回路基板１６１には複数のＬＥＤ１６２，１６２（図９参照）が実装されており、それらＬＥＤ１６２，１６２の光が、球受容空間１５１を通って下始動入賞部１４Ｂの反射部材１４Ｄに向けて投光されるようになっている（図１３参照）。なお、ＬＥＤ１６２，１６２は、本発明の「入賞口内発光手段」に相当する。
【００５５】
図５及び図６に示すように、開閉扉５０は、大入賞装置１５０のうち矩形孔１０３に臨んだ前端面に回動可能に組み付けられている。開閉扉５０は、例えば、合成樹脂で形成され、大入賞口１５Ａの略全体を閉塞可能な扉板５１と、扉板５１の横方向の両側端部に一体形成されたサイド壁５２，５２とを有している（図７参照）。扉板５１は、横長の矩形状をなし回動中心から離れるに従って板厚が薄くなっている。
【００５６】
両サイド壁５２，５２は、扉板５１のうち開放姿勢において上方を向く内面（以下、球受内面５１Ａ」という）から直角に起立しており、扉板５１の回動中心から離れた先端寄り位置から回動中心に向かうに従って球受内面５１Ａからの高さが徐々に大きくなるように構成されている。これらサイド壁５２，５２は、扉板５１に一旦受け止められた遊技球が、開閉扉５０の側方に零れ落ちることを防止する。
【００５７】
サイド壁５２，５２の上端面は、開放姿勢において扉板５１の先端側に下るように傾斜しかつ球受内面５１Ａに向かって下るように傾斜した傾斜面５２Ａになっている。この傾斜面５２Ａにより、サイド壁５２に落下した遊技球を扉板５１に転落させることができ、開閉扉５０上に落下した遊技球の受け零しを抑えるようになっている。
【００５８】
図７に示すように、扉板５１の回動中心から離れた先端部には、帯状張出壁５４が一体形成されている。帯状張出壁５４は、扉板５１における横方向の両側端間に亘って延びており、開閉扉５０が開放姿勢のときにサイド壁５２，５２よりも前方に張り出すと共に僅かに反り上がっている。また、開閉扉５０が閉塞姿勢になったとき、帯状張出壁５４は矩形孔１０３の上辺と重なり合って当接する（図３参照）。
【００５９】
ここで、図５及び図１３に示すように、矩形孔１０３の上辺には、帯状張出壁５４に対応した帯状凹部１０４（本発明の「横長凹部」に相当する）が形成されている。帯状凹部１０４は、装飾カバー１０１の前面を、矩形孔１０３の横方向の両側端部間に亘って浅く凹ませた形状をなし、開閉扉５０が閉塞姿勢になったとき帯状張出壁５４はこの帯状凹部１０４に収納される（図１２参照）。これにより、遊技機１０の外部から挿入した針金その他ツールを開閉扉５０の先端部（帯状張出壁５４）に引っ掛けて大入賞口１５Ａを開放させるという不正行為を防止することができる。
【００６０】
図９に示すように、扉板５１のうち横方向の両側端部からは帯状張出壁５４とは反対側に１対のヒンジアーム５３，５３が突出している。これら１対のヒンジアーム５３，５３は、扉板５１に一体形成されて、サイド壁５２，５２の延長線上に延びている。なお、各サイド壁５２，５２は扉板５１とヒンジアーム５３との間に跨って形成されている。
【００６１】
開閉扉５０は、ヒンジアーム５３，５３の先端部を貫通したヒンジピン１５５，１５５によって軸支されている。即ち、ヒンジピン１５５，１５５は、大入賞装置１５０における横長開口部１５４の下辺に沿って水平に延びかつ、ヒンジアーム５３，５３の側方に突出した両端部が大入賞装置１５０の前端部に保持されている（図７，図８参照）。
【００６２】
図１０に示すように、１対のヒンジアーム５３，５３には開放位置決ストッパ突部５３１，５３１（以下、単に「ストッパ突部５３１，５３１」という）が一体形成されている。各ストッパ突部５３１，５３１は、ヒンジアーム５３，５３のうち開閉扉５０が閉塞姿勢になったとき（図１０及び図１２に示す状態）に前方を向いた面から突出している。そして、開閉扉５０が閉塞姿勢から前側に所定角度（例えば、約７５度）倒れたときにストッパ突部５３１，５３１が大入賞口１５Ａの下側開口縁に当接する。詳細には、図１３に示すように、ストッパ突部５３１，５３１はヒンジピン１５５，１５５の軸方向から見た場合に直角な角部を有し、その角部を構成する直交二平面のうち、開放姿勢において鉛直下方を向く平面が、装飾カバー１０１の矩形孔１０３における下側内側面１０６に面当接する。なお、ヒンジアーム５３，５３は、本発明の「軸部」に相当し、ストッパ突部５３１，５３１は、本発明の「軸部の一部」に相当する。
【００６３】
図５及び図６に示すように、装飾カバー１０１のうち矩形孔１０３の左右の両横部には、接触規制突部１０５，１０５が一体形成されている。接触規制突部１０５，１０５は、矩形孔１０３の左右両側辺に沿って延びかつ上下両端から中央に向かうに従って徐々に前方に迫り出している。また、図３及び図１２に示すように、接触規制突部１０５，１０５は、開閉扉５０が閉塞姿勢のときにストッパ突部５３１，５３１と隣接しかつ、閉塞姿勢のときのストッパ突部５３１，５３１よりも前方に突出している。接触規制突部１０５，１０５は、開閉扉５０が閉塞姿勢のときに開閉扉５０の前方を通過する遊技球と接触することで、遊技球がストッパ突部５３１，５３１に接触することを防止している。なお、接触規制突部１０５，１０５の前方への突出量は、最大で２〜３ｍｍであり、接触規制突部１０５，１０５と遊技領域Ｒ１の前方を覆ったガラス板９５Ｗとの間を遊技球が通過可能となっている。
【００６４】
開閉扉５０に備えた１対のサイド壁５２，５２のうち、一方のサイド壁５２（例えば、正面から見て右側のサイド壁５２）には、内部ストッパ５２２が一体形成されている（図７参照）。
【００６５】
内部ストッパ５２２は、ヒンジピン１５５を挟んでストッパ突部５３１とは反対側に位置しており、サイド壁５２の外側面からヒンジピン１５５と平行に突出している。図１１に示すように、内部ストッパ５２２は、大入賞口１５Ａの奥側（透明ケース体１５６の内部）で回動し、開閉扉５０が閉塞姿勢から前側に所定角度（例えば、約７５度）倒れたときに、大入賞口１５Ａの奥側（透明ケース体１５６の内部）に備えた内部ストッパ当接部１６０（図１１参照）に当接する。
【００６６】
上述したストッパ突部５３１，５３１及び内部ストッパ５２２により、開閉扉５０は球受内面５１Ａが上方を向いた開放姿勢（図４及び図１３に示す状態）に位置決めされる。また、開閉扉５０に受け止めた遊技球の衝撃や重さにより開閉扉５０が開放姿勢を越えて回動することを防止することができる。ここで、開放姿勢において球受内面５１Ａは大入賞口１５Ａに向かって下るように傾斜する。
【００６７】
開閉扉５０を開閉動作させる為の扉作動装置１５９は、大入賞装置１５０の左側部分に設けられ、ソレノイド１５７Ａ、プランジャ１５７Ｂ、圧縮コイルバネ１５７Ｃ及び中継部材１５８から構成されている（図８参照）。
【００６８】
中継部材１５８は、プランジャ１５７Ｂの先端部に係止されると共に、その下端部が開閉扉５０の回動中心（ヒンジピン１５５）と平行な回動軸１５８Ｂによって回動可能に軸支されている。そして、プランジャ１５７Ｂの前後方向への直線運動に連動して中継部材１５８が上下方向に回動する。
【００６９】
中継部材１５８は開閉扉５０に向かって延びた連結アーム１５８Ａを備え、その連結アーム１５８Ａが開閉扉５０の一端に連結されている。詳細には、図１２に示すように、連結アーム１５８Ａの先端部は下方に突出した山形突起となっている。また、開閉扉５０のうち正面から見て左側のヒンジアーム５３の先端部には、係合突片５３３が一体形成されている。係合突片５３３はストッパ突部５３１とは反対側に突出しており、開閉扉５０が開放姿勢（図１２に示す状態）のときに、開閉扉５０の回動中心（ヒンジピン１５５）から斜め後側上方に突出すると共に、閉塞姿勢（図１３に示す状態）のときに回動中心から略水平後方に突出する。この係合突片５３３の上面に連結アーム１５８Ａの先端部（山形突起）が当接している。
【００７０】
ソレノイド１５７Ａを励磁すると、プランジャ１５７Ｂが圧縮コイルバネ１５７Ｃを押し縮めながら直動ストロークの後端位置に向かって後退する。すると、図１２から図１３への変化に示すように、中継部材１５８が上方に回動して連結アーム１５８Ａが、斜め下方を向いた姿勢から略水平な姿勢に変化する。即ち、連結アーム１５８Ａが、係合突片５３３の上方に離れるように移動する。すると、開閉扉５０は自重により前方に倒れて閉塞姿勢から開放姿勢になる。
【００７１】
一方、ソレノイド１５７Ａに対する通電が停止されると、圧縮コイルバネ１５７Ｃの弾発力によりプランジャ１５７Ｂが直動ストロークの前端位置に向かって前進する。すると、図１３から図１２への変化に示すように、中継部材１５８が下方に回動して連結アーム１５８Ａが略水平な姿勢から斜め下方を向いた姿勢に変化する。このとき、連結アーム１５８Ａの先端部が係合突片５３３を押し下げることで、開閉扉５０が開放姿勢から閉塞姿勢に変化する。
【００７２】
さて、開閉扉５０のうち横方向の両側面と開放姿勢で下方を向く開閉扉５０の外面（閉塞外面５１Ｂという）と間の各角部（ヒンジアーム５３，５３の延長線上）には、それぞれ球排除傾斜面１７１，１７１と、その球排除傾斜面１７１，１７１を溝底面とした球排除溝部１７０，１７０とが形成されている。
【００７３】
図１４（Ａ）に示すように、各球排除溝部１７０，１７０は、開閉扉５０の回動半径方向で開閉扉５０の回動中心（ヒンジピン１５５）寄り位置から先端寄り位置の範囲に亘って形成されている。
【００７４】
各球排除傾斜面１７１，１７１は、開閉扉５０が開放姿勢のときに開閉扉５０の横方向において閉塞外面５１Ｂから斜め横上方に向かい（図１４（Ｂ）参照）かつ、開閉扉５０の前後方向において開閉扉５０の回動中心から斜め前側上方に向かうように傾斜（図１４（Ａ）参照）している。
【００７５】
また、開閉扉５０が開放姿勢のときの開閉扉５０の横方向における球排除傾斜面１７１の傾斜角が、開閉扉５０の回動中心から離れるに従って徐々に水平に近づくように変化している（図１５〜図１７参照）。これにより、遊技球を受け止めても破損することのない肉厚を開閉扉５０の先端部に確保している。
【００７６】
図１４（Ａ）及び同図（Ｂ）に示すように球排除溝部１７０のうち、球排除傾斜面１７１を挟んだ両側には、共に略三角形状をなした１対の溝内側面１７２，１７３が形成されている。これら１対の溝内側面１７２，１７３のうち、開閉扉５０の先端側の溝内側面１７２は、開閉扉５０が開放姿勢のときに開閉扉５０の横方向において閉塞外面５１Ｂから斜め横上方に向うように傾斜している（図１４（Ｂ）参照）。
【００７７】
一方、開閉扉５０の回動中心寄りの溝内側面１７３は、ストッパ突部５３１の前記角部を構成する直交二平面のうち、開放姿勢において前方を向く平面と面一となっている。
【００７８】
開閉扉５０の横方向における各球排除傾斜面１７１，１７１の横幅は、ヒンジアーム５３，５３の横幅と略同一となっている。具体的には、遊技球の直径の１／３以上かつ１／２未満であって、本実施形態では、例えば、約４ｍｍとなっている。
【００７９】
本実施形態のパチンコ遊技機１０の構成は以上であり、次に作用について説明する。遊技者が操作ノブ２８を操作すると、遊技球が遊技領域Ｒ１の上方部分に弾き出される。遊技球は、遊技領域Ｒ１に備えられた風車１７、装飾枠２３、障害釘等に当たって向きを変えられ、ランダムな経路を通って遊技領域Ｒ１を流下する。
【００８０】
大入賞部１５の開閉扉５０が閉塞姿勢のとき、遊技球は開閉扉５０の前方を通過可能であるが、開閉扉５０に備えたストッパ突部５３１，５３１と接触することはない。即ち、閉塞姿勢におけるストッパ突部５３１，５３１の横には、それぞれストッパ突部５３１，５３１よりも前方に突出した接触規制突部１０５，１０５が隣接配置されており、ストッパ突部５３１，５３１の前方を通過する遊技球は、この接触規制突部１０５，１０５に当接するからである。これにより、ストッパ突部５３１，５３１に遊技球が接触した弾みで開閉扉５０が開くという誤動作を防止することができる。なお、接触規制突部５３１，５３１は、本発明の「当接規制突部」に相当する。
【００８１】
遊技球が遊技領域Ｒ１を流下する途中で始動ゲート１８を通過すると、普通図柄表示部３８において普通図柄の変動表示が開始される。普通図柄は所定時間に亘って変動表示された後で停止表示する。そして、普通図柄がゾロ目で停止表示すると、下始動入賞部１４Ｂに備えた可動翼片１４Ｃ，１４Ｃが横に倒れる。すると、遊技領域Ｒ１を流下する遊技球の一部が可動翼片１４Ｃ，１４Ｃに受け止められて下始動入賞部１４Ｂに案内される。
【００８２】
上始動入賞部１４Ａ又は下始動入賞部１４Ｂに遊技球が入賞すると、その遊技球は回収され、代わりに例えば、１０個の遊技球が上皿２７Ａに払い出されると共に、表示装置１３にて特別図柄のスクロール表示が開始される。
【００８３】
特別図柄が所定時間に亘ってスクロール表示された後で、１つずつ順次に停止表示され、停止表示された３つの特別図柄が全て同じ（ゾロ目）になると、大入賞部１５の開閉扉５０が所定期間に亘って開放姿勢に保持され大入賞口１５Ａが開放する。このとき、遊技球が開閉扉５０の球受内面５１Ａで受け止められて大入賞口１５Ａに案内される。大入賞口１５Ａに遊技球が入賞すると、その遊技球は回収され、代わりに１５個の賞球が上皿２７Ａに払い出される。
【００８４】
また、大入賞口１５Ａが開放すると、大入賞装置１５０のうち、球受容空間１５１の下方に配置されたＬＥＤ１６２，１６２の光が、図１３に示すように球受容空間１５１を通って下始動入賞部１４Ｂの下面の反射部材１４Ｄに投光され、反射部材１４Ｄで反射した光が開閉扉５０の球受内面５１Ａを照らす。これにより、大入賞口１５Ａが開放していることを遊技者に分かり易くすることができる。
【００８５】
また、開放姿勢では、ストッパ突部５３１，５３１が大入賞口１５Ａの下側開口縁（正確には、装飾カバー１０１の矩形孔１０３における下側内側面１０６，１０６）に当接すると共に、内部ストッパ５２２が内部ストッパ当接部１６０と当接するので、開閉扉５０で受けた遊技球の衝撃や重さによって開閉扉５０が開放姿勢を越えて回動することを防止することができる。
【００８６】
さて、遊技領域Ｒ１に備えた何れの入賞部１４Ａ，１４Ｂ，１５，２０にも入賞しなかった遊技球は、ガイドレール１２上に落下し、ガイドレール１２上を転がってアウト口１６に向かう。ここで、開放姿勢のときにガイドレール１２と最も接近する開閉扉５０の横方向の両側端部と、ガイドレール１２との間には、上下方向で遊技球の直径の１倍より大きくかつ２倍未満の隙間が空いているので、通常は、ガイドレール１２上を転がってアウト口１６に向かう遊技球と開放姿勢の開閉扉５０とが接触することはない。
【００８７】
ところが、例えば、大量の遊技球がアウト口１６に集中して遊技球の排出が間に合わなくなると、図１８に示すように、ガイドレール１２のうちアウト口１６の側方位置で遊技球が２個積み重なる現象が起き得る。或いは、偶然に、ガイドレール１２上を転がる遊技球の上に別の遊技球が落下することがある。このように遊技球が２個積み重なったタイミングで、閉塞姿勢の開閉扉５０が遊技領域Ｒ１の前方に倒されると、２個積み重なった遊技球と開閉扉５０の横方向の側端部とが接触する可能性がある。
【００８８】
このような事態にそなえて、本実施形態のパチンコ遊技機１０は、開閉扉５０の横方向の両側端部に球排除傾斜面１７１，１７１を有している。即ち、開閉扉５０が閉塞姿勢から遊技領域Ｒ１の前方に倒れるタイミングで、ガイドレール１２上に遊技球が２個積み重なっていた場合、球排除傾斜面１７１が上側の遊技球と接触し、その遊技球が球排除傾斜面１７１の傾斜によって遊技領域Ｒ１の前（図１９参照）及び開閉扉５０の側方（図２０参照）に押し除けられる。このようにして、開閉扉５０とガイドレール１２との間に遊技球が挟まることを防止することができ、開閉扉５０を開放姿勢になるまで前方に倒すことが可能になる。また、球排除傾斜面１７１だけでなく、開閉扉５０の先端側の溝内側面１７２でも遊技球を側方に排除することができる。
【００８９】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００９０】
（１）上記実施形態では、開閉扉５０が開放姿勢のときの開閉扉５０の横方向における球排除傾斜面１７１の傾斜角が、開閉扉５０の回動中心から離れるに従って徐々に水平に近づくように変化していたが、傾斜角を一定にしてもよい。
【００９１】
（２）上記実施形態では、球排除傾斜面１７１を挟んだ両側に溝内側面１７２，１７３を備えていたが、開閉扉５０の先端側の溝内側面１７２を無くして球排除傾斜面１７１を開閉扉５０の先端側に延長してもよい。
【００９２】
（３）上記実施形態では、本発明に係る「球転動突部」の一例としてガイドレール１２を例示したが、大入賞口１５の下方に配置されかつ、遊技領域Ｒ１を流下する遊技球を受け止めて転動させることが可能なものであれば、ガイドレール１２に限定するものではない。例えば、遊技領域Ｒ１（遊技盤１１）の前面から前方に突出してその上面で遊技球を略横方向に転動可能としたもの（具体的には、左右両側から中央部に向かって下るように湾曲し、その上面に受け止めた遊技球を左右に往復動させた後で中央部前端から下方に流下させる構成のもの）や、複数本の障害釘を略横並びに配置してそれらの上を遊技球が転動するようにした構成のものも、本発明の「球転動突部」に含まれる。
【００９３】
そして、球転動突部の位置が、球転動突部上を遊技球が積み重なることなく一段で転動する場合に、開放姿勢の開閉扉５０と球転動突部上の遊技球とが干渉せず（換言すれば、開放姿勢における開閉扉５０と球転動突部との上下方向の間隔が遊技球の直径よりも大きく）かつ、球転動突部上で遊技球が積み重なった場合に閉塞姿勢から開放姿勢へと移動する開閉扉５０と遊技球とが接触し得る位置であって、開閉扉５０に本発明の構成（球排除傾斜面１７１）が備えられていれば、上記実施形態のものと同等の効果を発揮することになる。即ち、球転動突部上で遊技球が積み重なった状態で、開閉扉５０が閉塞姿勢から開放姿勢へと回動することがあっても、開閉扉５０に設けられた球排除傾斜面１７１により遊技球を開閉扉５０と干渉しない位置へ流下させることが可能となり、開放扉５０が半開き状態で停止するという不具合を防止することが可能となる。
【００９４】
（４）上記実施形態では、球排除傾斜面１７１及び球排除溝部１７０が、開閉扉５０の横方向の両側端部に設けられていたが、何れか一方の側端部にだけ設けてもよい。この場合、球排除傾斜面１７１及び球排除溝部１７０が形成された側端部と隣接する大入賞口１５の横開口縁にだけ接触規制突部５３１を設けてもよい。
【００９５】
（５）開閉扉５０に球排除傾斜面１７１を形成することでヒンジアーム５３の肉厚までも減少すると強度が低下する虞があるため、ヒンジアーム５３は球排除傾斜面１７１が形成された部分より厚肉にしておくことが好ましい。このとき、ヒンジアーム５３のうち閉塞姿勢において前方を向いた部分が、閉塞姿勢の開閉扉５０の他の部位に対して相対的に前方に突出することになると、閉塞姿勢の開閉扉５０の前方を流下する遊技球が、その前方に突出したヒンジアーム５３と接触して開閉扉５０が開いてしまうという不具合の虞がある。このような場合でも、上記実施形態で説明したように、大入賞口１５Ａの周囲に敷設された装飾カバー１０１に、前方に突出したヒンジアーム５３と遊技球とが接触することを規制する接触規制突部５３１を設けることで、その不具合を防止することが可能である。
【００９６】
（６）上記実施形態では、大入賞口１５Ａ及び開閉扉５０が横長矩形であったが、正方形でもよい。
【符号の説明】
【００９７】
１０    パチンコ遊技機
１２    ガイドレール（球転動突部）
１４Ｂ    下始動入賞部（上方入賞部）
１４Ｄ    反射部材
１５    大入賞部
１５Ａ    大入賞口
１６    アウト口
５０    開閉扉
５１Ｂ    閉塞外面
５３    ヒンジアーム（軸部）
１０１    装飾カバー
１０３    矩形孔
１０４    帯状凹部（横長凹部）
１０５    接触規制突部（当接規制突部）
１０６    下側内側面
１５４    横長開口部
１５５    ヒンジピン
１６０    内部ストッパ当接部
１６２    ＬＥＤ（入賞口内発光手段）
１７０    球排除溝部
１７１    球排除傾斜面
１７２    溝内側面
５２２    内部ストッパ
５３１    開放位置決ストッパ突部（軸部の一部）
Ｒ１    遊技領域
【図１】
2011177284.tif 000003
【図２】
2011177284.tif 000004
【図３】
2011177284.tif 000005
【図４】
2011177284.tif 000006
【図５】
2011177284.tif 000007
【図６】
2011177284.tif 000008
【図７】
2011177284.tif 000009
【図８】
2011177284.tif 000010
【図９】
2011177284.tif 000011
【図１０】
2011177284.tif 000012
【図１１】
2011177284.tif 000013
【図１２】
2011177284.tif 000014
【図１３】
2011177284.tif 000015
【図１４】
2011177284.tif 000016
【図１５】
2011177284.tif 000017
【図１６】
2011177284.tif 000018
【図１７】
2011177284.tif 000019
【図１８】
2011177284.tif 000020
【図１９】
2011177284.tif 000021
【図２０】
2011177284.tif 000022